(57)【要約】【課題】全長を短くしても像面湾曲や色収差の補正が良好なズーム光学系を提供する。【解決手段】１つの接合レンズ成分からなり負の屈折力を有する第１レンズ群と、正の屈折力を有する第２レンズ群と、１つのレンズ成分からなり合焦のために移動可能であり正の屈折力を有する第３レンズ群と、非球面を有する１つのレンズ成分からなる第４レンズ群とより構成し、広角端から望遠端まで変倍する際に第２レンズ群は物体側へのみの移動とし、第１レンズ群と第３レンズ群は第２レンズ群とは別の移動軌跡を描きながら移動せしめるかたちの基本構成を採用しており、所定の条件式を満足することが好ましい。【選択図】図１
2010139870.tif 000002
【特許請求の範囲】
【請求項１】
物体側から順に、負の屈折力を有する第１レンズ群と、正の屈折力を有する第２レンズ群と、正の屈折力を有する第３レンズ群と、第４レンズ群とより構成され、
前記第１レンズ群は１つの接合レンズ成分からなり、
前記第３レンズ群は1つのレンズ成分からなり、合焦のために移動可能であり、
前記第４レンズ群は非球面を有する１つのレンズ成分からなり、
広角端から望遠端まで変倍する際に、前記第２レンズ群は物体側へのみ移動し、
前記第１レンズ群と前記第３レンズ群は、前記第２レンズ群とは別の移動軌跡を描きながら移動し、
以下の条件式（１）、（２）を満足することを特徴とする結像光学系。
−１．５＜ｆw／ｆ4＜０．３  …（１）
１．０＜β4w＜２．０        …（２）
ここで、
ｆ4は前記第４レンズ群の焦点距離、
ｆwは所定の物点に合焦したときの広角端における全系の焦点距離、
β4wは所定の物点に合焦したときの広角端における前記第４レンズ群の倍率、
前記所定の物点は合焦出来る最も遠い物点である。
【請求項２】
前記第４レンズ群は負の屈折力を有する単レンズにて構成され、
該単レンズは、最も物体側の面が凹面でかつ非球面であり
以下の条件式（３）、（４）を満足することを特徴とする請求項１に記載の結像光学系。
１．３５＜ｎ4＜１．６５  …（３）
３０＜ν4＜１００        …（４）
ここで、
ｎ4は前記第４レンズ群の単レンズを構成する媒質のｄ線に対する屈折率、
ν4は前記第４レンズ群の単レンズを構成する媒質のアッベ数である。
【請求項３】
前記第１レンズ群の接合レンズ成分は負レンズＬ1Nと正レンズＬ1Pを有し、
前記負レンズＬ1Nと前記正レンズＬ1Pが、物体側からこの順に接合されていることを特徴とする請求項１又は請求項２に記載の結像光学系。
【請求項４】
前記第１レンズ群の前記負レンズＬ1Nと前記正レンズＬ1Pの接合面ＳCが非球面であることを特徴とする請求項３に記載の結像光学系。
【請求項５】
光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（５）で表した場合、
z＝h2／R［１＋｛１−（１＋k）h2／R2 ｝1/2 ］
＋Ａ4 h4 ＋Ａ6 h6 ＋Ａ8 h8 ＋Ａ10h10＋・・・            …（５）
以下の条件式（６）を満足することを特徴とする請求項３又は請求項４に記載の結像光学系。
０．０５≦｜ｚC（ｈC）−ｚB（ｈB）｜／ｔp≦０．９６  …（６）
ここで、
ｚB（ｈ）は前記正レンズＬ1Pの空気接触面ＳBの形状であって、式(５)に従う形状、
ｚC（ｈ）は前記接合面ＳCの形状であって、式(５)に従う形状、
ｔpは前記正レンズＬ1Pの光軸上での厚みであり、
ｈB =2.5ａ、ｈC=2.5ａであり、
aは以下の条件式（７）に従う量、
a＝(ｙ10 )2 ・log10 γ／ ｆw  …（７）
また、式（７）において、
ｙ10 は最大像高、
γは前記所定の物点に合焦したときのズーム比、
また、各面の面頂を原点とするため、常にｚ（０）＝０である。
【請求項６】
光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（５）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋・・・            …（５）
偏倚量を下記の式（８）で表した場合、
Δz＝ｚ−h2／R［１＋｛１−h2／R2 ｝1/2 ］                      …（８）
以下の条件式（９）を満足することを特徴とする請求項３又は請求項４に記載の結像光学系。
−０．０７０≦［ΔｚC（ｈC）−｛ΔｚA（ｈA）＋ΔｚB（ｈB）｝／２］／ｆw
≦０．１００  …（９）
ここで、
ｚA（ｈ）は前記負レンズＬ1Nの空気接触面ＳAの形状であって、式(５)に従う形状、
ｚB（ｈ）は前記正レンズＬ1Pの空気接触面ＳBの形状であって、式(５)に従う形状、
ｚC（ｈ）は前記接合面ＳCの形状であって、式(５)に従う形状、
ΔｚA（ｈ）は前記負レンズＬ1Nの空気接触面ＳAにおける偏倚量であって、式（８）に従う量、
ΔｚB（ｈ）は前記正レンズＬ1Pの空気接触面ＳBにおける偏倚量であって、式（８）に従う量、
ΔｚC（ｈ）は前記接合面ＳCにおける偏倚量であって、式（８）に従う量、
ｈA =3.0ａ、ｈB=2.5ａ、ｈC =2.5ａであり、
aは以下の条件式（７）に従う量、
a＝(ｙ10 )2 ・log10 γ／ ｆw  …（７）
また、式（７）において、ｙ10 は最大像高、
γは前記所定の物点に合焦したときのズーム比、
また、各面の面頂を原点とするため、常にｚ（０）＝０である。
【請求項７】
以下の条件式（１０）を満足することを特徴とする請求項１から請求項６のいずれか一項に記載の結像光学系。
−０．６＜（ｒ11＋ｒ13）／（ｒ11−ｒ13）＜５  …（１０）
ここで、
ｒ11は前記第１レンズ群の最も物体側の面の光軸近傍における曲率半径、
ｒ13は前記第１レンズ群の最も像側の面の光軸近傍における曲率半径である。
【請求項８】
以下の条件式（１１）を満足することを特徴とする請求項３から請求項７のいずれか一項に記載の結像光学系。
｜（θgFp−θgFn）／（νdp−νdn）｜＜０．００４５  …（１１）
ここで、
θgFpは前記正レンズＬ1Pの部分分散比（ｎg1P−ｎF1P)／（ｎF1P−ｎC1P）、
θgFnは前記負レンズＬ1Nの部分分散比（ｎg1N−ｎF1N)／（ｎF1N−ｎC1N）、
νdpは前記正レンズＬ1Pのアッベ数（ｎd1P−1)／（ｎF1P−ｎC1P）、
νdnは前記負レンズＬ1Nのアッベ数（ｎd1N−1)／（ｎF1N−ｎC1N）、
ｎd1P、ｎC1P、ｎF1P、ｎg1Pは、各々前記正レンズＬ1Pのｄ線、Ｃ線、Ｆ線、ｇ線に対する屈折率、
ｎd1N、ｎC1N、ｎF1N、ｎg1Nは、各々前記負レンズＬ1Nのｄ線、Ｃ線、Ｆ線、ｇ線に対する屈折率を表す。
【請求項９】
以下の条件式（１２）を満足することを特徴とする請求項８に記載の結像光学系。
｜（θhgp−θhgn）／（νdp−νdn）｜＜０．００６０  …（１２）
ここで、
θhgpは前記正レンズＬ1Pの部分分散比（ｎh1P−ｎg1P)／（ｎF1P−ｎC1P）、
θhgnは前記負レンズＬ1Nの部分分散比（ｎh1N−ｎg1N)／（ｎF1N−ｎC1N）、
ｎh1Pは前記正レンズＬ1Pのｈ線に対する屈折率、
ｎh1Nは前記負レンズＬ1Nのｈ線に対する屈折率、
をそれぞれ表す。
【請求項１０】
以下の条件式（１３）を満足することを特徴とする請求項１から請求項９のいずれか一項に記載の結像光学系。
−０．５５＜β234w＜−０．２５  …（１３）
ここで、β234wは前記所定の物点に合焦したときの広角端における前記第２レンズ群、前記第３レンズ群及び前記第４レンズ群の合成倍率である。
【請求項１１】
以下の条件式（１４）、（１５）を満足することを特徴とする請求項１から請求項１０のいずれか一項に記載の結像光学系。
１．０＜ｆ2／ｆw＜２．０  …（１４）
−０．０５＜（Ｄw−Ｄt）／（Ｄw＋Ｄt）＜０．０５  …（１５）
ここで、
ｆ2は前記第２レンズ群の合成焦点距離、
Ｄwは前記所定の物点に合焦したときの広角端における光学全長（最も物体側の面頂位置から結像面までの距離）、
Ｄtは前記所定の物点に合焦したときの望遠端における光学全長（最も物体側の面頂位置から結像面までの距離）である。
【請求項１２】
前記第２レンズ群は、物体側から順に、像側に凹面を向けたメニスカス形状のレンズ成分と両凸形状のレンズ成分にて構成されていることを特徴とする請求項１から請求項１１のいずれか一項に記載の結像光学系。
【請求項１３】
前記第２レンズ群は、物体側から順に、正レンズと負レンズの接合からなるレンズ成分と正の単レンズにて構成されていることを特徴とする請求項１から請求項１２のいずれか一項に記載の結像光学系。
【請求項１４】
以下の条件式（１６）を満足することを特徴とする請求項１２又は請求項１３に記載の結像光学系。
０．５＜ｒ23／ｒ21＜１．５  …（１６）
ここで、
ｒ21は前記第２レンズ群の物体側レンズ成分における最も物体側の面の曲率半径、
ｒ23は前記第２レンズ群の物体側レンズ成分における最も像側の面の曲率半径であって、いずれも光軸近傍における曲率半径である。
【請求項１５】
以下の条件式（１７）、（１８）を満足することを特徴とする請求項１３に記載の結像光学系。
０．０＜（ｒ21＋ｒ23）／ｒ22＜１．３  …（１７）
−１．０＜（ｒ24＋ｒ25）／（ｒ24−ｒ25）＜１．０  …（１８）
ここで、
ｒ22は前記第２レンズ群の物体側レンズ成分における接合面の曲率半径、
ｒ24は前記第２レンズ群の像側レンズ成分における最も物体側の面の曲率半径、
ｒ25は前記第２レンズ群の像側レンズ成分における最も像側の面の曲率半径であって、いずれも光軸近傍における曲率半径である。
【請求項１６】
以下の条件式（１９）を満足することを特徴とする請求項１から請求項１５のいずれか一項に記載の結像光学系。
１．０＜β34t ／ β34w＜１．７  …（１９）
ここで、
β34wは前記所定の物点に合焦したときの広角端における前記第３レンズ群と前記第４レンズ群の合成倍率、
β34tは前記所定の物点に合焦したときの望遠端における前記第３レンズ群と前記第４レンズ群の合成倍率である。
【請求項１７】
以下の条件式（２０）、（２１）を満足することを特徴とする請求項１から請求項１６のいずれか一項に記載の結像光学系。
０＜ｆw ／ｆ34w＜０．６  …（２０）
０．２＜−ｆ4 ／ｆ3＜６  …（２１）
ここで、
ｆ34は前記所定の物点に合焦したときの広角端における第３レンズ群と前記第４レンズ群の合成焦点距離、
ｆ3は前記第３レンズ群の焦点距離、
ｆ4は前記第４レンズ群の焦点距離である。
【請求項１８】
前記第３レンズ群は単レンズのみからなることを特徴とする請求項１から請求項１７のいずれか一項に記載の結像光学系。
【請求項１９】
以下の条件式（２２）を満足することを特徴とする請求項１から請求項１８のいずれか一項に記載の結像光学系。
０．３＜ｒ31／ｒ25＜３  …（２２）
ここで、
ｒ25は前記第２レンズ群の最も像側の面の曲率半径、
ｒ31は前記第３レンズ群の最も物体側の面曲率半径であって、いずれも光軸近傍における曲率半径である。
【請求項２０】
以下の条件式（２３）を満足することを特徴とする請求項１から請求項１９のいずれか一項に記載の結像光学系。
０．４＜ｒ32／ｒ41＜１．４  …（２３）
ここで、
ｒ32は前記第３レンズ群の最も像側の面の曲率半径、
ｒ41は前記第４レンズ群の最も物体側の面の曲率半径であって、いずれも光軸近傍における曲率半径である。
【請求項２１】
前記第３レンズ群の最も物体側の面頂は、広角端における前記第２レンズ群の最も像側の面頂位置よりも常に像側に位置することを特徴とする請求項１から請求項２０のいずれか一項に記載の結像光学系。
【請求項２２】
請求項１から請求項２１のいずれか一項に記載の結像光学系と、
電子撮像素子と、
前記結像光学系を通じて結像した像を前記電子撮像素子で撮像することによって得られた画像データを加工して像の形状を変化させた画像データとして出力する画像処理手段とを有し、
前記結像光学系がズームレンズであり、
該ズームレンズが、前記所定の物点合焦時に次の条件式（２４）を満足することを特徴とする電子撮像装置。
０．７＜ｙ07／（ｆｗ・ｔａｎω07w）＜０．９７  …（２４）
ここで、
ｙ07は前記電子撮像素子の有効撮像面内（撮像可能な面内）で中心から最も遠い点までの距離（最大像高）をｙ10としたときｙ07＝０．７・ｙ10として表され、
ω07wは広角端における前記撮像面上の中心からｙ07の位置に結ぶ像点に対応する物点方向の光軸に対する角度、
ｆwは所定の物点に合焦したときの広角端における全系焦点距離である。
【発明の詳細な説明】
【技術分野】
【０００１】
本発明は、特に電子撮像光学系に適した薄型でありながら結像性能に優れた結像光学系及びそれを有する電子撮像装置に関するものである。
【背景技術】
【０００２】
デジタルカメラは高画素数化（高画質化）や小型薄型化において実用レベルを達成し、機能的にも市場的にも銀塩３５ｍｍフィルムカメラにとって代わってしまった。このため、次なる進化の方向として、さらなる高画素数化および薄型化が求められている。
【０００３】
薄型化の可能性を秘めた先行技術として特開２００５−２６６１２９号公報（特許文献１）記載の光学系がある。これには、物体側から順に、負の屈折力を有する第１レンズ群と、正の屈折力を有する第２レンズ群と、正の屈折力を有する第３レンズ群より構成された結像光学系が提案されている。ここで、第１レンズ群は正レンズ、負レンズの順に接合された１つのレンズ成分からなり、接合面が非球面である。また第２レンズ群は、正レンズ成分と負レンズ成分の順からなる。また、第３レンズ群は、１つのレンズ成分からなる。
【０００４】
また、特開２００７−１５６３８５号公報（特許文献２）には、物体側より順に、負屈折力の第１レンズ群Ｇ１と、正屈折力の第２レンズ群Ｇ２と、正屈折力の第３レンズ群Ｇ３と、第４レンズ群を有する結像光学系が開示されている。ここで、第１レンズ群Ｇ１は１枚の両凹形状の負レンズからなり、第４レンズ群は非球面を有する。また、この結像光学系では、各レンズ群の間隔を変化させることにより変倍と焦点合わせをしている。
【０００５】
【特許文献１】特開２００５−２６６１２９号公報
【特許文献２】特開２００７−１５６３８５号公報
【発明の開示】
【発明が解決しようとする課題】
【０００６】
しかしながら、特許文献１記載の光学系では、像面湾曲の指標となるペッツバール和が大きく、軸外収差の補正が不十分である。
【０００７】
また、特許文献２記載の光学系では、色収差の補正が不十分である。
【０００８】
本発明は上記の課題に鑑みてなされたものであり、全長を短くしても像面湾曲や色収差の補正が良好な結像光学系を提供することを目的とする。
【課題を解決するための手段】
【０００９】
上述した課題を解決し、目的を達成するために、本発明による結像光学系は、物体側から順に、負の屈折力を有する第１レンズ群と、正の屈折力を有する第２レンズ群と、正の屈折力を有する第３レンズ群と、第４レンズ群とより構成され、前記第１レンズ群は１つの接合レンズ成分からなり、前記第３レンズ群は１つのレンズ成分からなり、合焦のために移動可能であり、前記第４レンズ群は非球面を有する１つのレンズ成分からなり、
広角端から望遠端まで変倍する際に、前記第２レンズ群は物体側へのみ移動し、前記第１レンズ群と前記第３レンズ群は、前記第２レンズ群とは別の移動軌跡を描きながら移動する構成を採用している。そして、さらに以下の条件式（１）、（２）を満足することが好ましい。
−１．５＜ｆw／ｆ4＜０．３  …（１）
１．０＜β4w＜２．０        …（２）
ここで、
ｆ4は前記第４レンズ群の焦点距離、
ｆwは所定の物点に合焦したときの広角端における全系の焦点距離、
β4wは所定の物点に合焦したときの広角端における前記第４レンズ群の倍率、
前記所定の物点は合焦出来る最も遠い物点である。
【００１０】
また、本発明の電子撮像装置は、上述の結像光学系と、電子撮像素子と、結像光学系を通じて結像した像を電子撮像素子で撮像することによって得られた画像データを加工して像の形状を変化させた画像データとして出力する画像処理手段とを有し、結像光学系がズームレンズであり、該ズームレンズが、前記所定の物点合焦時に次の条件式（２４）を満足することを特徴としている。
０．７＜ｙ07／（ｆｗ・ｔａｎω07w）＜０．９７  …（２４）
ここで、
ｙ07は電子撮像素子の有効撮像面内（撮像可能な面内）で中心から最も遠い点までの距離（最大像高）をｙ10としたときｙ07＝０．７・ｙ10として表され、
ω07wは広角端における撮像面上の中心からｙ07の位置に結ぶ像点に対応する物点方向の光軸に対する角度、
ｆwは所定の物点に合焦したときの広角端における全系焦点距離である。
【発明の効果】
【００１１】
本発明にかかる結像光学系は、像面湾曲や色収差をはじめ各収差を良好に保ちつつ、結像光学系の全長短縮や薄型化を実現することが可能となる、という効果を奏する。特に、高画素数を保ちつつダウンサイジングされた撮像素子に適した結像光学系とすることが出来る。
【発明を実施するための最良の形態】
【００１２】
以下に、本発明にかかる結像光学系をズーム光学系に適用した実施例を図面に基づいて詳細に説明する。なお、この実施例によりこの発明が限定されるものではない。なお、実施例の説明に先立ち、本実施形態の結像光学系の作用効果について説明する。
【００１３】
第１レンズ群が負の屈折力を有するズーム光学系は、負先行型ズーム光学系と称される。一般的な負先行型ズーム光学系は、負の屈折力を有する第１レンズ群と、正の屈折力を有し変倍の主力となる第２レンズ群と、正の屈折力を有し合焦が可能な第３レンズ群とより構成されている。そして、収差をより良好に補正するために、第３レンズ群の像側に第４レンズ群を設けた構成もある。本実施形態の結像光学系（ズームレンズ）も、この構成に相当する。
【００１４】
本実施形態の結像光学系は、物体側から順に、負の屈折力を有する第１レンズ群と、正の屈折力を有する第２レンズと、正の屈折力を有する第３レンズ群と、第４レンズ群とから構成されている。ここで、第１レンズ群は１つの接合レンズ成分からなる。また、、第３レンズ群は１つのレンズ成分からなり、合焦のために移動可能である。また、第４レンズ群は非球面を有する1つのレンズ成分からなる。
【００１５】
そして、広角端から望遠端まで変倍する際に、第２レンズ群は物体側へのみ移動し、第１レンズ群と第３レンズ群は第２レンズ群とは別の移動軌跡を描きながら移動する。さらに、以下の条件式（１）を満足する。
【００１６】
−１．５＜ｆw／ｆ4＜０．３  …（１）
ここで、
ｆ4は第４レンズ群の焦点距離、
ｆwは所定の物点に合焦したときの広角端における全系の焦点距離、
所定の物点は合焦出来る最も遠い物点である。
【００１７】
負先行型ズーム光学系全長短縮をさらに進めると、第２レンズ群以降の合成系の共役点間の距離を極力短くすることになる。このため第２レンズ群の正の屈折力が強くなる。すると、正のペッツバール和が著しく増大してしまう。一般的な負先行型ズーム光学系では、第１レンズ群を、物体側から順に負レンズと正レンズの２つの単体レンズで構成する。このとき、負レンズと正レンズは一定距離をおいて配置し、正レンズの屈折率を高くすることで収差を補正する。しかしながら、材料費や加工費が高価である点、第１レンズ群の組み立て要求精度が高い点、薄型化に不向きな点が課題である。そこで、本実施形態の結像光学系では、第１レンズ群を１つの接合レンズ成分のままとし、条件式（１）を満足することでペッツバール和を補正している。
【００１８】
条件式（１）の上限値を上回ると、ペッツバール和の補正が困難となる。一方、条件式（１）の下限値を下回ると、望遠側での糸巻き型歪曲収差やコマ収差の補正が困難になる。
【００１９】
また、条件式（１）に代えて、次の条件式（１’）を満足すると、より好ましい。
−１．５＜ｆw／ｆ4＜０．０  …（１’）
【００２０】
さらに、条件式（１）に代えて、次の条件式（１”）を満足すると、より一層好ましい。
−１．３＜ｆw／ｆ4＜−０．１  …（１”）
【００２１】
なお、条件式（１）に代えて、次の条件式（１”’）を満足するのが最も良い。
−１．３＜ｆw／ｆ4＜−０．４５  …（１”’）
【００２２】
なお、条件式（１）、（１’）、（１”）、又は（１”’）を満たそうとすると、第４レンズ群単独の倍率が高くなる傾向がある。この場合、第１レンズ群から第３レンズ群の合成焦点距離を短くしなくてはならない。すると、諸収差の補正が困難となる。
【００２３】
そこで、本実施形態の結像光学系は、以下の条件式（２）を満たすようにするとよい。
１．０＜β4w＜２．０        …（２）
ここで、
β4wは所定の物点に合焦したときの広角端における第４レンズ群の倍率、
所定の物点は合焦出来る最も遠い物点である。
【００２４】
条件式（２）の上限値を上回ると、コマ収差、非点収差、歪曲収差の補正が困難となる。一方、下限値を下回ると、ペッツバール和が補正困難となる。
【００２５】
なお、条件式（２）を満足するにあたっては、第４レンズ群を極力像面に近づけることが好ましい。近づける範囲（像面近傍の範囲）とは具体的には条件式（ａ）で与えられる範囲と考えるのがよい。
０．０１＜ｄ4iw／（Ｄw＋Ｄt）＜０．０５  …（ａ）
ここで、
ｄ4iwは広角端における第４レンズ群の最も像側の面頂から結像面までの光軸上での距離の空気換算長、
Ｄwは所定の物点に合焦したときの広角端での結像光学系の全長、
Ｄtは所定の物点に合焦したときの望遠端での結像光学系の全長、
所定の物点は合焦出来る最も遠い物点である。
【００２６】
像面近傍では近軸軸上光線高が低いため、そこにある程度強いパワーのレンズ要素を設定しても全系の焦点距離や焦点位置に与える影響は少ない。また、第４レンズ群の屈折力を弱い正からある程度強い負にすると、変倍による射出瞳位置の変動を少なくすることができる。そのため、広角端から望遠端に至るまで、主光線の射出角度の変化が少なくなる。
【００２７】
一般的に、小さなサイズの撮像素子を用いると、シェーディングが生じやすい。しかしながら、本実施形態の結像光学系では、広角端から望遠端に至るまで、主光線の射出角度の変化が少ないので、小さなサイズの撮像素子を用いた場合であっても、シェーディングの発生を防止できるという相乗効果も得られる。なお、シェーディングとは、撮像面に対する入射角が適切でないために起こる翳り現象のことである。
【００２８】
また、本実施形態の結像光学系では、後述の実施例からわかるように、撮像素子の前方（物体側）に、撮像素子用のカバーガラスを配置している。しかしながら、第４レンズ群をカバーガラスとして用いても構わない。あるいは、第４レンズ群の最も像側の面を平面とし、この平面にカバーガラスを接合してもよい。
【００２９】
また、従来の負先行型ズーム光学系では、第１レンズ群と第２レンズ群による残存収差を第３レンズ群に非球面を設けて補正することが多かった。ところが、このようにすると、合焦による収差変動を招きやすかった。
【００３０】
そこで、本実施形態の結像光学系では、第４レンズ群に非球面を導入している。この非球面は、特に、最も物体側の面を非球面に設けるのが好ましい。このように構成すれば、残存収差を第４レンズ群にて補正することができる。また、これにより、第３レンズ群に非球面を設けたとしても、その非球面は、自ら（第３レンズ群）が発生する収差を補正する程度の非球面にすることができる。そのため、合焦による収差変動を小さく抑えることが出来る。
【００３１】
なお、第４レンズ群は単レンズにて構成してもよい。このような構成は、結像光学系の薄型化にとって好ましい。
【００３２】
また、本実施形態の結像光学系は、以下の条件式（３）、（４）を満足するとよい。
１．３５＜ｎ4＜１．６５  …（３）
３０＜ν4＜１００        …（４）
ここで、
ｎ4は第４レンズ群の単レンズを構成する媒質のｄ線に対する屈折率、
ν4は第４レンズ群の単レンズを構成する媒質のアッベ数である。
【００３３】
条件式（３）の上限値を上回ると、ペッツバール和の補正が困難となる。一方、下限値を下回ると、コマ収差、非点収差、歪曲収差が発生しやすい。また、条件式（４）の下限値を下回るか、又は、上限値を上回っても倍率色収差が大きくなりやすい。
【００３４】
また、本実施形態の結像光学系では、第１レンズ群の接合レンズ成分は負レンズＬ1Nと正レンズＬ1Pを有し、負レンズＬ1Nと正レンズＬ1Pが物体側からこの順に接合されているのがよい。この様にすると、一般的な負先行型ズーム光学系（負レンズと正レンズが分離）に比べて、光学系の薄型化を実現できる。また、第２レンズ群の前側焦点位置が短くてすむ。このため第２レンズ群のパワーを上げやすく全長短縮に効果的である。
【００３５】
また、本実施形態の結像光学系では、こういう場合、分散の大きく異なる透明材質を接合しその負レンズＬ1Nと正レンズＬ1Pの接合面ＳCを非球面とするのが好ましい。このような接合レンズ成分を第１レンズ群に用いると、一般的な負先行型ズーム光学系に比べて、広角端における色コマ、倍率色収差の像高に関する高次成分（色の歪曲収差）の補正について、著しい効果を得ることができる。なお、接合面ＳCを形成している媒質の屈折率差は０．１２以下にしたほうがよい。このようにすると、基準波長におけるザイデル収差に悪影響を及ぼすことを抑えることができる。
【００３６】
一方、接合面ＳCを非球面化しない場合は、接合面ＳCを形成している媒質の屈折率差を０．２以上とした方がよい。なお、屈折率差を０．３以上にすればより好ましく、０．４以上あるいは０．５以上ならばよりいっそう好ましい。しかし、０．７を超えると第１レンズ群のパワーの確保が困難となる。この場合、全長短縮に支障をきたしやすくなるか、又は色収差の補正が困難となる。
【００３７】
また、本実施形態の結像光学系は、光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（５）で表した場合、
z＝h2／R［１＋｛１−（１＋k）h2／R2 ｝1/2 ］
＋Ａ4 h4 ＋Ａ6 h6 ＋Ａ8 h8 ＋Ａ10h10＋・・・            …（５）
以下の条件式（６）を満足することが好ましい。
０．０５≦｜ｚC（ｈC）−ｚB（ｈB）｜／ｔp≦０．９６  …（６）
ここで、
ｚB（ｈ）は正レンズＬ1Pの空気接触面ＳBの形状であって、式(５)に従う形状、
ｚC（ｈ）は接合面ＳCの形状であって、式(５)に従う形状、
ｔpは正レンズＬ1Pの光軸上での厚みであり、
ｈB =2.5ａ、ｈC=2.5ａであり、
aは以下の条件式（７）に従う量、
a＝(ｙ10 )2 ・log10 γ／ ｆw  …（７）
また、式（７）において、
ｙ10は最大像高、
γは所定の物点に合焦したときのズーム比、
また、各面の面頂を原点とするため、常にｚ（０）＝０、
所定の物点は合焦出来る最も遠い物点である。
【００３８】
なお、ズーム比は、望遠端での全系焦点距離／広角端での全系焦点距離、最大像高は、本実施形態の結像光学系の結像位置近傍に電子撮像素子を配置したとき、この電子撮像素子の有効撮像面内（撮像可能な面内）において中心から最も遠い点までの距離である。
【００３９】
条件式（６）の下限値を下回ると、色収差の補正が不十分になりやすい。一方、上限値を上回ると、正レンズＬ1Pを薄く加工しようとすると周辺部の縁肉確保が困難になる。
【００４０】
また、条件式（６）に代えて、次の条件式（６’）を満足するのがより望ましい。
０．１５≦｜ｚC（ｈC）−ｚB（ｈB）｜／ｔp≦０．９３  （６’）
さらに、条件式（６）に代えて、次の条件式（６”） を満足すると最高に良い。
０．２５≦｜ｚC（ｈC）−ｚB（ｈB）｜／ｔp≦０．９０  （６”）
【００４１】
なお、負レンズＬ1Nの空気接触面ＳA 、正レンズＬ1Pの空気接触面ＳB 、接合面ＳC 、のいずれかが球面であってもかまわない。
【００４２】
また、本実施形態の結像光学系は、光軸方向をｚ、光軸に垂直な方向をｈとする座標軸とし、Ｒを球面成分の光軸上における曲率半径、ｋを円錐定数、Ａ４，Ａ６，Ａ８，Ａ１０・・・を非球面係数として、非球面の形状を下記の式（５）で表すと共に、
z＝h2／R［１＋｛１−（１＋k）h2／R2 ｝1/2 ］
＋Ａ4 h4 ＋Ａ6 h6 ＋Ａ8 h8 ＋Ａ10h10＋・・・            …（５）
偏倚量を下記の式（８）で表した場合、
Δz＝ｚ−h2／R［１＋｛１−h2／R2 ｝1/2 ］                      …（８）
以下の条件式（９）を満足することが好ましい。
−０．０７０≦［ΔｚC（ｈC）−｛ΔｚA（ｈA）＋ΔｚB（ｈB）｝／２］／ｆw
≦０．１００  …（９）
ここで、
ｚA（ｈ）は前記負レンズＬ1Nの空気接触面ＳAの形状であって、式(５)に従う形状、
ｚB（ｈ）は前記正レンズＬ1Pの空気接触面ＳBの形状であって、式(５)に従う形状、
ｚC（ｈ）は前記接合面ＳCの形状であって、式(５)に従う形状、
ΔｚA（ｈ）は前記負レンズＬ1Nの空気接触面ＳAにおける偏倚量であって、式（８）に従う量、
ΔｚB（ｈ）は前記正レンズＬ1Pの空気接触面ＳBにおける偏倚量であって、式（８）に従う量、
ΔｚC（ｈ）は前記接合面ＳCにおける偏倚量であって、式（８）に従う量、
ｈA =3.0ａ、ｈB=2.5ａ、ｈC =2.5ａであり、
aは以下の条件式（７）に従う量、
a＝(ｙ10 )2 ・log10 γ／ ｆw  …（７）
また、式（７）において、ｙ10 は最大像高、
γは所定の物点に合焦したときのズーム比、
所定の物点は合焦出来る最も遠い物点、
また、各面の面頂を原点とするため、常にｚ（０）＝０、である。
【００４３】
非球面の偏倚量の度合いが大きすぎると、却って高次の色収差が大きくなりやすいよって、条件式（９）の上限値を上回らず、かつ、下限とを下回らないことが好ましい。
【００４４】
なお、条件式（９）に代えて、次の条件式（９’）を満足すると、より好ましい。
−０．０５０≦［ΔｚC（ｈC）−｛ΔｚA（ｈA）＋ΔｚB（ｈB）｝／２］／ｆw≦
０．０７５  …（９’）
【００４５】
さらに、条件式（９）に代えて、次の条件式（９”）を満足すると、より一層好ましい。
−０．０３５≦［ΔｚC（ｈC）−｛ΔｚA（ｈA）＋ΔｚB（ｈB）｝／２］／ｆw≦
０．０５５  …（９”）
【００４６】
ここで、負レンズＬ1Nの空気接触面ＳA 、正レンズＬ1Pの空気接触面ＳB 、接合面ＳC 、のいずれかが球面であってもかまわない。
【００４７】
また、本実施形態の結像光学系は、以下の条件式（１０）を満足することが好ましい。
−０．６＜（ｒ11＋ｒ13）／（ｒ11−ｒ13）＜５  …（１０）
ここで、
ｒ11は第１レンズ群の最も物体側の面の曲率半径、
ｒ13は第１レンズ群の最も像側の面の曲率半径であって、いずれも光軸近傍における曲率半径である。
【００４８】
条件式（１０）は、第１レンズ群の接合レンズ成分の形状に関する条件式である。本実施形態の結像光学系では、第１レンズ群を１つのレンズ成分のみで構成している。この場合、歪曲収差と非点収差（あるいはコマ収差）を同時に満たすことは困難である。一方、デジタルカメラの場合、画像処理により歪曲収差を容易に補正出来るが、その補正量が大きいほど画面周辺部の解像度が低下しやすい。したがって、ある程度以上の歪曲収差は許容できない。
【００４９】
条件式（１０）の下限値を下回ると、広角端における樽型歪曲収差が大きくなりやすい。大きく発生した歪曲を画像処理にて補正すると、補正後の画像において周辺部の解像度が劣化する。一方、上限値を上回ると、非点収差（あるいはコマ収差）の補正が困難となる。
【００５０】
なお、条件式（１０）に代えて、次の条件式（１０’）を満足すると、より好ましい。
０．１＜（ｒ11＋ｒ13）／（ｒ11−ｒ13）＜４  …（１０’）
さらに、条件式（１０）に代えて、次の条件式（１０”）を満足すると、より一層好ましい。
０．８＜（ｒ11＋ｒ13）／（ｒ11−ｒ13）＜３  …（１０”）
【００５１】
ところで、色収差補正はたとえばＣ線とＦ線の２波長についての軸上色消しと倍率色消し、そして色コマや倍率色収差の像高に関する高次成分（色の歪曲収差）など色収差の高次成分のみでは不十分である。また、他の波長、特にＦ線に対するｇ線、ｈ線など短波長の色消しも結像画像の鮮鋭度あるいは色にじみの除去という点で重要である。
【００５２】
そこで、本実施形態の結像光学系は、以下の条件式（１１）を満足するとよい。
｜（θgFp−θgFn）／（νdp−νdn）｜＜０．００４５  …（１１）
ここで、
θgFpは正レンズＬ1Pの部分分散比（ｎg1P−ｎF1P)／（ｎF1P−ｎC1P）、
θgFnは負レンズＬ1Nの部分分散比（ｎg1N−ｎF1N)／（ｎF1N−ｎC1N）、
νdpは正レンズＬ1Pのアッベ数（ｎd1P−1)／（ｎF1P−ｎC1P）、
νdpは負レンズＬ1Nのアッベ数（ｎd1N−1)／（ｎF1N−ｎC1N）、
ｎd1P、ｎC1P、ｎF1P、ｎg1Pは、各々正レンズＬ1Pのｄ線、Ｃ線、Ｆ線、ｇ線に対する屈折率、
ｎd1N、ｎC1N、ｎF1N、ｎg1Nは、各々負レンズＬ1Nのｄ線、Ｃ線、Ｆ線、ｇ線に対する屈折率を表す。
【００５３】
条件式（１１）は、第１レンズ群を構成するレンズ材料（媒質）の光学特性についての条件式である。条件式（１１）の上限値を上回ると、Ｃ線とＦ線の２波長についての色消しが出来たとしても、ｇ線の色消しは十分に行ないにくい。そのため、撮像で得た画像において鮮鋭度が低下しやすい。
【００５４】
また、本実施形態の結像光学系は、以下の条件式（１２）を満足するとよい。
｜（θhgp−θhgn）／（νdp−νdn）｜＜０．００６０  …（１２）
ここで、
θhgpは正レンズＬ1Pの部分分散比（ｎh1P−ｎg1P)／（ｎF1P−ｎC1P）、
θhgnは負レンズＬ1Nの部分分散比（ｎh1N−ｎg1N)／（ｎF1N−ｎC1N）、
ｎh1Pは正レンズＬ1Pのｈ線に対する屈折率、
ｎh1Nは負レンズＬ1Nのｈ線に対する屈折率を表す。
【００５５】
条件式（１２）の上限値を上回ると、Ｃ線とＦ線の２波長についての色消しが出来たとしても、ｈ線の色消しは十分に行いにくい。そのため、撮像で得た画像において紫の色にじみが発生しやすい。
【００５６】
また、接合レンズは、複合レンズであることが望ましい。複合レンズは、第二のレンズ表面に第一のレンズとして樹脂を密着硬化させることで実現できる。接合レンズを複合レンズにすることで、製造精度を向上させることができる。複合レンズ製造方法としては成形がある。成形では、第二のレンズに対して第一のレンズ材料（例えばエネルギー硬化型透明樹脂など）を接触させて、第一のレンズ材料を第二のレンズの一方の面上にて直接成形させる方法がある。この方法は、レンズ要素を薄くするのには極めて有効な方法である。
【００５７】
なお、エネルギー硬化型透明樹脂の例として、紫外線硬化型樹脂がある。また、第二のレンズには、第一のレンズを成形する前にあらかじめコーティングなど表面処理がなされていてもかまわない。また、第二のレンズの少なくとも接合側の面をあらかじめ非球面にて構成することで、これまで困難であった接合面の非球面化が容易に行える。
【００５８】
後述する本実施形態の結像光学系の実施例のうち、実施例１乃至実施例４及び実施例６では、第１レンズ群の接合レンズ成分に関して、負レンズ要素にガラス材料、正レンズ要素に樹脂（特にエネルギー硬化型樹脂）を用いている。これらの接合レンズ成分は、上記の方式により加工するのが望ましい。
【００５９】
また、接合レンズを複合レンズにする場合、第二のレンズ表面に第一のレンズとしてガラスを密着成形させてもよい。ガラスは樹脂に比べて、耐光性、耐薬品性等の耐性の面で有利である。この場合、第一のレンズ材料の特性としては、第二のレンズ材料よりも融点、転移点が低いことが必要である。複合レンズ製造方法としては成形がある。この方法は、レンズ要素を薄くするのには極めて有効な方法である。なお、第二のレンズにはあらかじめコーティングなど表面処理がなされていてもかまわない。また、第二のレンズの少なくとも接合側の面をあらかじめ非球面にて構成することで、これまで困難であった接合面の非球面化が容易に行える。
【００６０】
後述する本実施形態の結像光学系の実施例のうち、実施例５では、第１レンズ群の接合レンズ成分に関して、負レンズ要素に高転移点のガラスあるいはセラミックス材料、正レンズ要素に低転移点のガラス材料（転移点の差は100度以上が好ましく、後述の実施例では前者が506度で後者が350度）を用いている。これらの接合レンズ成分は、上記の方式により加工するのが望ましい。
【００６１】
次に、本実施形態の結像光学系は、以下の条件式（１３）を満足することが好ましい。
−０．５５＜β234w＜−０．２５  …（１３）
ここで、β234wは所定の物点に合焦したときの広角端における第２レンズ群、第３レンズ群及び第４レンズ群の合成倍率、
所定の物点は合焦出来る最も遠い物点である。
【００６２】
本実施形態の結像光学系では、第２レンズ群とそれ以降のレンズ群が変倍系となる。条件式（１３）は、これらの変倍系の倍率についての条件式である。条件式（１３）の上限値を上回ると、全長の短縮が行いにくい。一方、下限値を下回ると第１レンズ群にパワーがつきすぎ、軸外収差の補正が困難となる。
【００６３】
また、本実施形態の結像光学系は、以下の条件式（１４）、（１５）を満足することが好ましい。
１．０＜ｆ2／ｆw＜２．０  …（１４）
−０．０５＜（Ｄw−Ｄt）／（Ｄw＋Ｄt）＜０．０５  …（１５）
ここで、
ｆ2は第２レンズ群の合成焦点距離、
Ｄwは所定の物点に合焦したときの広角端における光学全長（最も物体側の面頂位置から結像面までの距離）、
Ｄtは所定の物点に合焦したときの望遠端における光学全長（最も物体側の面頂位置から結像面までの距離）、
所定の物点は合焦出来る最も遠い物点である。
【００６４】
本実施形態の結像光学系では、第２レンズ群が変倍の主力となる。条件式（１４）の上限値を上回ると、全長を短くすることが困難となる。一方、下限値を下回ると、隣接するレンズ群と干渉しやすくなるか球面収差、コマ収差の補正が困難となる。
【００６５】
また、本実施形態の結像光学系では、第２レンズ群は、物体側から順に、像側に凹面を向けたメニスカス形状のレンズ成分と、両凸形状のレンズ成分にて構成することが好ましい。あるいは、第２レンズ群は、物体側から順に、正レンズと負レンズの接合からなるレンズ成分と、正の単レンズにて構成することが好ましい。その理由は以下のとおりである。
【００６６】
３群構成の負先行型ズーム光学系を基本構成とすると、本実施形態の結像光学系は、第３レンズ群と結像面との間に第４レンズ群を挿入した構成ということができる。ここで、第４レンズ群を挿入する関係上、全長を伸ばさぬようにパワーや主点位置など近軸配置を保った状態で、第２レンズ群と第３レンズ群を物体側にシフトする必要がある。
【００６７】
以下、その方法を説明する。
第１レンズ群の像側主点と第２レンズ群の物体側主点の間隔Ｌは以下のように表される。
Ｌ＝（１−β１）×ｆ１＋｛１−（１／β２）｝×ｆ２
ここで、
β１は第１レンズ群の倍率、
β２は第２レンズ群の倍率、
ｆ１は第１レンズ群の焦点距離、
ｆ２は第２レンズ群の焦点距離、
である。
【００６８】
広角側から望遠側にズーミングすることはβ２を負側に大きくすることに相当し、また、負先行型のズーム光学系はｆ２が正であるため、Ｌが最も小さくなるのは望遠端になる。
そこで、一般の負先行型のズーム光学系では、望遠端において第１レンズ群と第２レンズ群の間で干渉（衝突）が生じないように、あるいは、逆に２つのレンズ群の間に無駄な空きスペースが生じないように、負の第１レンズ群を２つのレンズ成分、あるいは、３つのレンズ成分で構成して、正の第２レンズ群を物体側から、正レンズ成分、負レンズ成分の順で構成している。
【００６９】
ところが、本実施形態の結像光学系のように、負の第１レンズ群を１つのレンズ成分で構成すると、第１レンズ群と第２レンズ群の間に空きスペースができてしまう。そこで、本実施形態の結像光学系では、この空きスペースを第２レンズ群の像側に移動させ、新たなレンズ群の挿入のための空きスペースを第２レンズ群の像側に形成している。そのため、本実施形態の結像光学系では、第２レンズ群の構成を、物体側から順に、像側に凹面を向けたメニスカス形状のレンズ成分と、両凸形状のレンズ成分で構成している。このような構成をとることにより、第２レンズ群全体が前記一般的な例よりも第１レンズ群側に位置する。すなわち、第２レンズ群の物体側面と像側面の位置が、第２レンズ群の主点位置に対して第１レンズ群側に比較的寄ったところに位置する。これにより、第２レンズ群の物体側に無駄な空きスペースはなくなり、代わりに像側に空きスペースを形成することができる。その結果、この空きスペースに新たなレンズ群を配置することができる。
【００７０】
また、本実施形態の結像光学系は、以下の条件式（１６）を満足するとよい。
０．５＜ｒ23／ｒ21＜１．５  …（１６）
ここで、
ｒ21は第２レンズ群の物体側レンズ成分における最も物体側の面の曲率半径、
ｒ23は第２レンズ群の物体側レンズ成分における最も像側の面の曲率半径であって、いずれも光軸近傍における曲率半径である。
【００７１】
条件式（１６）の上限値を上回ると、球面収差・コマ収差・非点収差の補正には有利だが、接合面における偏心敏感度の緩和の効果が少ない。一方、条件式（１６）の下限値を下回ると、球面収差・コマ収差・非点収差の補正が困難になりやすい。
【００７２】
なお、条件式（１６）に代えて、次の条件式（１６’）を満足すると、より好ましい。
０．６＜ｒ23／ｒ21＜１．３  …（１６’）
さらに、条件式（１６）に代えて、次の条件式（１６”）を満足すると、より一層好ましい。
０．７＜ｒ23／ｒ21＜１．１  …（１６”）
【００７３】
また、本実施形態の結像光学系は、以下の条件式（１７）、（１８）を満足するとよい。
０．０＜（ｒ21＋ｒ23）／ｒ22＜１．３  …（１７）
−１．０＜（ｒ24＋ｒ25）／（ｒ24−ｒ25）＜１．０  …（１８）
ここで、
ｒ22は第２レンズ群の物体側レンズ成分におけるの接合面の曲率半径、
ｒ24は第２レンズ群の像側レンズ成分における最も物体側の面の曲率半径、
ｒ25は第２レンズ群の像側レンズ成分における最も像側の面の曲率半径であって、いずれも光軸近傍における曲率半径である。
【００７４】
条件式（１７）の上限値を上回ると、特に広角側の軸上色収差が補正不足になりやすい。一方、下限値を下回ると、球面収差やコマ収差あるいは非点収差の補正がしにくい。
【００７５】
条件式（１８）は、第２レンズ群像側レンズ成分の形状ファクターに関する規定である。条件式（１８）の下限値を下回ると、第２群の空気間隔ｄ22 を薄くしやすいが、コマ収差あるいは非点収差の補正が困難になる。条件式（１８）の上限値を上回ると、第２群の両レンズ成分周縁部の干渉で軸上距離が大きくなりがちになる。そのため、沈胴厚を薄くするのが難しくなる。
【００７６】
なお、条件式（１７）に代えて、次の条件式（１７’）を満足すると、より好ましい。
０．３＜（ｒ21＋ｒ23）／ｒ22＜１．２  …（１７’）
さらに、条件式（１７）に代えて、次の条件式（１７”）を満足すると、より一層好ましい。
０．６＜（ｒ21＋ｒ23）／ｒ22＜１．１  …（１７”）
【００７７】
なお、条件式（１８）に代えて、次の条件式（１８’）を満足すると、より好ましい。
−０．９＜（ｒ24＋ｒ25）／（ｒ24−ｒ25）＜０．７  …（１８’）
さらに、条件式（１８）に代えて、次の条件式（１８”）を満足すると、より一層好ましい。
−０．８＜（ｒ24＋ｒ25）／（ｒ24−ｒ25）＜０．４  …（１８”）
【００７８】
ところで、本実施形態の結像光学系では、第２レンズ群を、物体側から順に、正レンズ成分、像側に凹面を向けた負レンズ成分の順で構成することも可能である。この場合は、特に、負レンズ成分は物体側から順に正レンズ要素と負レンズ要素の貼り合わせとするのが良い。
【００７９】
また、本実施形態の結像光学系は、以下の条件式（ｂ）、（ｃ）のいずれかをみたすとよい。
０．２＜ｒ’25／ｒ’23＜０．９  …（ｂ）
−０．４＜（ｒ’23＋ｒ’25）／ｒ’24＜０．６  …（ｃ）
ここで、
ｒ’23は第２レンズ群の像側レンズ成分における最も物体側の面の曲率半径、
ｒ’24は第２レンズ群の像側レンズ成分における接合面の曲率半径、
ｒ’25は第２レンズ群の像側レンズ成分における最も像側の面の曲率半径であって、いずれも光軸近傍における曲率半径である。
【００８０】
条件式（ｂ）の上限値を上回ると、球面収差・コマ収差・非点収差の補正には有利だが、接合による偏心敏感度の緩和の効果が少ない。一方、条件式（ｂ）の下限値を下回ると、球面収差・コマ収差・非点収差の補正が困難になりやすい。
【００８１】
条件式（ｃ）の上限値を上回ると、特に広角側の軸上色収差が補正不足になりやすい。一方、条件式（ｃ）の下限値を下回ると、球面収差やコマ収差あるいは非点収差の補正がしにくい。
【００８２】
なお、条件式（ｂ）に代えて、次の条件式（ｂ’）を満足すると、より好ましい。
０．３＜ｒ’25／ｒ’23＜０．８  …（ｂ’）
さらに、条件式（ｂ）に代えて、次の条件式（ｂ”）を満足すると、より一層好ましい。
０．４＜ｒ’25／ｒ’23＜０．７  …（ｂ”）
【００８３】
なお、条件式（ｃ）に代えて、次の条件式（ｃ’）を満足すると、より好ましい。
−０．２＜（ｒ’23＋ｒ’25）／ｒ’24＜０．６  …（ｃ’）
さらに、条件式（ｃ）に代えて、次の条件式（ｃ”）を満足すると、より一層好ましい。
０．０＜（ｒ’23＋ｒ’25）／ｒ’24＜０．６  …（ｃ”）
【００８４】
また、本実施形態の結像光学系は、以下の条件式（１９）を満足するとよい。
１．０＜β34t／β34w＜１．７  …（１９）
ここで、
β34wは所定の物点に合焦したときの広角端における第３レンズ群と第４レンズ群の合成倍率、
β34tは所定の物点に合焦したときの望遠端における第３レンズ群と第４レンズ群の合成倍率、
所定の物点は合焦出来る最も遠い物点である。
【００８５】
条件式（１９）の上限値を上回ると、第１レンズ群、第２レンズ群における収差補正の負担を軽減できるが、倍率色収差の変倍による変動が大きくなりやすい。一方、条件式（１９）の下限値を下回ると、全長や第１レンズ群の径が大きくなるので、光学系が大型化を招きやすい。
【００８６】
なお、条件式（１９）に代えて、次の条件式（１９’）を満足すると、より好ましい。
１．１＜β34t ／ β34w＜１．７  …（１９’）
さらに、条件式（１９）に代えて、次の条件式（１９”）を満足すると、より一層好ましい。
１．２＜β34t ／ β34w＜１．７  …（１９”）
【００８７】
また、本実施形態の結像光学系は、以下の条件式（２０）、（２１）を満足するとよい。
０＜ｆw ／ｆ34w＜０．６  …（２０）
０．２＜−ｆ4 ／ｆ3＜６  …（２１）
ここで、
ｆ34wは所定の物点に合焦したときの広角端における第３レンズ群と４レンズ群の合成焦点距離、
ｆ3は所定の物点に合焦したときの広角端における第３レンズ群の焦点距離、
ｆ4は所定の物点に合焦したときの広角端における第４レンズ群の焦点距離、
所定の物点は合焦出来る最も遠い物点である。
【００８８】
変倍系を構成する後群（第３レンズ群と第４レンズ群）は、軸外収差補正の観点から正の屈折力とするのが良いが、ペッツバール和補正の点では好ましくない。したがって、条件式（２０）と（２１）は同時に満たすとよい。条件式（２０）、（２１）の上限値を上回ると、ペッツバール和が正の大きな値になりやすい。一方、条件式（２０）、（２１）の下限値を下回ると、コマ収差あるいは非点収差の変倍時の変動が大きくなりやすい。
【００８９】
なお、条件式（２０）に代えて、次の条件式（２０’）を満足すると、より好ましい。
０＜ｆw ／ｆ34w＜０．４５  …（２０’）
さらに、条件式（２０）に代えて、次の条件式（２０”）を満足すると、より一層好ましい。
０＜ｆw ／ｆ34w＜０．３  …（２０”）
【００９０】
なお、条件式（２１）に代えて、次の条件式（２１’）を満足すると、より好ましい。
０．２＜−ｆ4 ／ｆ3＜３．５  …（２１’）
さらに、条件式（２１）に代えて、次の条件式（２１”）を満足すると、より一層好ましい。
０．２＜−ｆ4 ／ｆ3＜１．６  …（２１”）
【００９１】
また、本実施形態の結像光学系は、第３レンズ群を１つのレンズ成分のみで構成するのが良い。単レンズのみで構成するとなお良い。このようにすると、光学系をより薄型化できる。
【００９２】
また、本実施形態の結像光学系は、以下の条件式（２２）を満足することが好ましい。
０．３＜ｒ31／ｒ25＜３  …（２２）
ここで、
ｒ25は第２レンズ群の最も像側の面の曲率半径、
ｒ31は第３レンズ群の最も物体側の面の曲率半径であって、いずれも光軸近傍における曲率半径である。
【００９３】
光学系を沈胴させる際には、レンズ群間の隣接するレンズ面の曲率半径は近い方がデッドスペースを生まない。条件式（２２）の上限値を上回るか、又は、下限値を下回ると光学系を沈胴したときの厚みを薄くすることが困難となる。
【００９４】
また、本実施形態の結像光学系は、以下の条件式（２３）を満足することが好ましい。
０．４＜ｒ32／ｒ41＜１．４  …（２３）
ここで、
ｒ32は第３レンズ群の最も像側の面の曲率半径、
ｒ41は第４レンズ群の最も物体側の面の曲率半径であって、いずれも光軸近傍における曲率半径である。
【００９５】
条件式（２３）の上限値を上回るか、又は、下限値を下回ると、光学系を沈胴したときの厚みを薄くすることが困難となる。
【００９６】
また、本実施形態の結像光学系では、第３レンズ群の最も物体側の面頂は、広角端における第２レンズ群の最も像側の面頂位置よりも常に像側に位置するようにしたほうが好ましい。
【００９７】
フォーカスは第３レンズ群にて行うのが好ましい。この場合、第２レンズ群は変倍時に移動し、第３レンズ群は変倍時とフォーカス時に移動することになる。ここで、ズームおよびフォーカスアクチュエーターの小型化を考慮すると、第２レンズ群の移動スペースと第３レンズ群の移動スペースは重ならない方がよい。また、第３レンズ群が第２レンズ群の近くまで移動をすると、第２レンズ群の変倍への寄与度を打ち消したり、変倍による色収差補正の変動が大きくなりやすい。したがって、第３レンズ群の最も物体側の面頂は、広角端における第２レンズ群の最も像側の面頂位置よりも常に像側に位置するようにしたほうが好ましい。
【００９８】
また、本実施形態の結像光学系では、絞り開口に最も近いレンズ面を第２レンズ群の最も物体側の面とするのが好ましい。変倍時、変倍によるＦ値の変化も問題になりやすい。ここで、Ｆ値を決めるのは絞り開口である。そこで、上記のようにすると、Ｆ値の変化が少なくなる。
【実施例】
【００９９】
次に、本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１００】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１０１】
実施例１のズームレンズは、図１に示すように、物体側より順に、負の屈折力を有する第１レンズ群Ｇ１と、開口絞りＳと、正の屈折力を有する第２レンズ群Ｇ２と、正の屈折力を有する第３レンズ群Ｇ３と、負の屈折力を有する第４レンズ群Ｇ４と、を有している。なお、以下全ての実施例において、レンズ断面図中、ＬＰＦはローパスフィルター、ＣＧはカバーガラス、Ｉは電子撮像素子の撮像面を示している。
【０１０２】
第１レンズ群Ｇ１は、物体側より順に、物体側に凸面を向けた負メニスカスレンズＬ１と物体側に凸面を向けた正メニスカスレンズＬ２との接合レンズで構成されており、全体で負の屈折力を有している。
【０１０３】
第２レンズ群Ｇ２は、物体側より順に、像側に凹面を向けた正メニスカスレンズＬ３と像側に凹面を向けた負メニスカスレンズＬ４の接合レンズと、両凸正レンズＬ５と、で構成されており、全体で正の屈折力を有している。
【０１０４】
第３レンズ群Ｇ３は、像側に凸面を向けた正メニスカスレンズＬ６で構成されており、全体で正の屈折力を有している。
【０１０５】
第４レンズ群Ｇ４は、両凹負レンズＬ７で構成されており、全体で負の屈折力を有している。
【０１０６】
広角端から望遠端へと変倍する際には、第１レンズ群Ｇ１は、像側へ移動した後に物体側へ移動する。第２レンズ群Ｇ２は、物体側へ移動する。第３レンズ群Ｇ３は像側へ移動する。第４レンズ群Ｇ４は固定している。
【０１０７】
非球面は、第１レンズ群Ｇ１の負メニスカスレンズＬ１の物体側の面と、正メニスカスレンズＬ２の像側の面と、負メニスカスレンズＬ１と正メニスカスレンズＬ２の接合面、第２レンズ群Ｇ２の正メニスカスレンズＬ３の物体側の面と、負メニスカスレンズＬ４の像側の面と、両凸正レンズＬ５の物体側の面、第３レンズ群Ｇ３の正メニスカスレンズＬ６の像側の面、第４レンズ群Ｇ４の両凹負レンズＬ７の物体側の面、の８面に設けられている。
【０１０８】
次に、本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１０９】
図４は実施例２にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１１０】
実施例２のズームレンズは、図３に示すように、物体側より順に、負の屈折力を有する第１レンズ群Ｇ１と、開口絞りＳと、正の屈折力を有する第２レンズ群Ｇ２と、正の屈折力を有する第３レンズ群Ｇ３と、負の屈折力を有する第４レンズ群Ｇ４とを有している。
【０１１１】
第１レンズ群Ｇ１は、物体側より順に、物体側に凸面を向けた負メニスカスレンズＬ１と物体側に凸面を向けた正メニスカスレンズＬ２との接合レンズで構成されており、全体で負の屈折力を有している。
【０１１２】
第２レンズ群Ｇ２は、物体側より順に、像側に凹面を向けた正メニスカスレンズＬ３と像側に凹面を向けた負メニスカスレンズＬ４の接合レンズと、両凸正レンズＬ５と、で構成されており、全体で正の屈折力を有している。
【０１１３】
第３レンズ群Ｇ３は、像側に凸面を向けた正メニスカスレンズＬ６で構成されており、全体で正の屈折力を有している。
【０１１４】
第４レンズ群Ｇ４は、両凹負レンズＬ７で構成されており、全体で負の屈折力を有している。
【０１１５】
広角端から望遠端へと変倍する際には、第１レンズ群Ｇ１は、像側へ移動した後に物体側へ移動する。第２レンズ群Ｇ２は、物体側へ移動する。第３レンズ群Ｇ３は像側へ移動する。第４レンズ群Ｇ４は固定している。
【０１１６】
非球面は、第１レンズ群Ｇ１の負メニスカスレンズＬ１の物体側の面と、正メニスカスレンズＬ２の像側の面と、負メニスカスレンズＬ１と正メニスカスレンズＬ２の接合面、第２レンズ群Ｇ２の正メニスカスレンズＬ３の物体側の面と、負メニスカスレンズＬ４の像側の面と、両凸正レンズＬ５の物体側の面、第３群Ｇ３の正メニスカスレンズＬ６の像側の面、第４レンズ群Ｇ４の両凹負レンズＬ７の物体側の面、の８面に設けられている。
【０１１７】
次に、本発明の実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１１８】
図６は実施例３にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１１９】
実施例３のズームレンズは、図５に示すように、物体側より順に、負の屈折力を有する第１レンズ群Ｇ１と、開口絞りＳと、正の屈折力を有する第２レンズ群Ｇ２と、正の屈折力を有する第３レンズ群Ｇ３と、負の屈折力を有する第４レンズ群Ｇ４を有している。
【０１２０】
第１レンズ群Ｇ１は、物体側より順に、物体側に凸面を向けた負メニスカスレンズＬ１と物体側に凸面を向けた正メニスカスレンズＬ２との接合レンズで構成されており、全体で負の屈折力を有している。
【０１２１】
第２レンズ群Ｇ２は、物体側より順に、像側に凹面を向けた正メニスカスレンズＬ３と像側に凹面を向けた負メニスカスレンズＬ４の接合レンズと、両凸正レンズＬ５と、で構成されており、全体で正の屈折力を有している。
【０１２２】
第３レンズ群Ｇ３は、像側に凸面を向けた正メニスカスレンズＬ６で構成されており、全体で正の屈折力を有している。
【０１２３】
第４レンズ群Ｇ４は、両凹負レンズＬ７で構成されており、全体で負の屈折力を有している。
【０１２４】
広角端から望遠端へと変倍する際には、第１レンズ群Ｇ１は、像側へ移動した後に物体側へ移動する。第２レンズ群Ｇ２は、物体側へ移動する。第３レンズ群Ｇ３は像側へ移動する。第４レンズ群Ｇ４は固定している。
【０１２５】
非球面は、第１レンズ群Ｇ１の負メニスカスレンズＬ１の物体側の面と、正メニスカスレンズＬ２の像側の面と、負メニスカスレンズＬ１と正メニスカスレンズＬ２の接合面、第２レンズ群Ｇ２の正メニスカスレンズＬ３の物体側の面と、負メニスカスレンズＬ４の像側の面と、両凸正レンズＬ５の物体側の面、第３レンズ群Ｇ３の正メニスカスレンズＬ６の像側の面、第４レンズ群Ｇ４の両凹負レンズＬ７の物体側の面、の８面に設けられている。
【０１２６】
次に、本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２７】
図８は実施例４にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１２８】
実施例４のズームレンズは、図７に示すように、物体側より順に、負の屈折力を有する第１レンズ群Ｇ１と、開口絞りＳと、正の屈折力を有する第２レンズ群Ｇ２と、全体で正の屈折力を有する第３レンズ群Ｇ３と、負の屈折力を有する第４レンズ群Ｇ４を有している。
【０１２９】
第１レンズ群Ｇ１は、物体側に凸面を向けた負メニスカスレンズＬ１と物体側に凸面を向けた正メニスカスレンズＬ２との接合レンズで構成されており、全体で負の屈折力を有している。
【０１３０】
第２レンズ群Ｇ２は、物体側より順に、像側に凹面を向けた負メニスカスレンズＬ３と、両凸正レンズＬ４と、で構成されており、全体で正の屈折力を有している。
【０１３１】
第３レンズ群Ｇ３は、像側に凸面を向けた正メニスカスレンズＬ５で構成されており、全体で正の屈折力を有している。
【０１３２】
第４レンズ群Ｇ４は、両凹負レンズＬ６で構成されており、全体で負の屈折力を有している。
【０１３３】
広角端から望遠端へと変倍する際には、第１レンズ群Ｇ１は、像側へ移動した後に物体側へ移動する。第２レンズ群Ｇ２は、物体側へ移動する。第３レンズ群Ｇ３は像側へ移動する。第４レンズ群Ｇ４は固定している。
【０１３４】
非球面は、第１レンズ群Ｇ１の負メニスカスレンズＬ１の物体側の面と、正メニスカスレンズＬ２の像側の面と、負メニスカスレンズＬ１と正メニスカスレンズＬ２の接合面、第２レンズ群Ｇ２の負メニスカスレンズＬ３の両面と、両凸正レンズＬ４の両面、第３レンズ群Ｇ３の正メニスカスレンズＬ５の像側の面、第４レンズ群Ｇ４の両凹負レンズＬ６の物体側の面、の９面に設けられている。
【０１３５】
次に、本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３６】
図１０は実施例５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１３７】
実施例５のズームレンズは、図９に示すように、物体側より順に、負の屈折力を有する第１レンズ群Ｇ１と、開口絞りＳと、正の屈折力を有する第２レンズ群Ｇ２と、正の屈折力を有する第３レンズ群Ｇ３と、負の屈折力を有する第４レンズ群Ｇ４と、を有している。
【０１３８】
第１レンズ群Ｇ１は、物体側より順に、両凹負レンズＬ１と物体側に凸面を向けた正メニスカスレンズＬ２との接合レンズで構成されており、全体で負の屈折力を有している。
【０１３９】
第２レンズ群Ｇ２は、物体側より順に、両凸正レンズＬ３と、像側に凹面を向けた正メニスカスレンズＬ４と像側に凹面を向けた負メニスカスレンズＬ５との接合レンズと、で構成されており、全体で正の屈折力を有している。
【０１４０】
第３レンズ群Ｇ３は、像側に凸面を向けた正メニスカスレンズＬ６で構成されており、全体で正の屈折力を有している。
【０１４１】
第４レンズ群Ｇ４は、像側に凸面を向けた負メニスカスレンズＬ７で構成されており、全体で負の屈折力を有している。
【０１４２】
広角端から望遠端へと変倍する際には、第１レンズ群Ｇ１は、像側へ移動した後に物体側へ移動する。第２レンズ群Ｇ２は、物体側へ移動する。第３レンズ群Ｇ３は像側へ移動する。第４レンズ群Ｇ４は固定している。
【０１４３】
非球面は、第１レンズ群Ｇ１の両凹負レンズＬ１の物体側の面と、正メニスカスレンズＬ２の像側の面、第２レンズ群Ｇ２の両凸正レンズＬ３の両面、第３群Ｇ３の正メニスカスレンズＬ６の像側の面、第４レンズ群Ｇ４の負メニスカスレンズＬ７の物体側の面、の６面に設けられている。
【０１４４】
次に、本発明の実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４５】
図１２は実施例５にかかるズームレンズの無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４６】
実施例６のズームレンズは、図１１に示すように、物体側より順に、負の屈折力を有する第１レンズ群Ｇ１と、開口絞りＳと、正の屈折力を有する第２レンズ群Ｇ２と、正の屈折力を有する第３レンズ群Ｇ３と、負の屈折力を有する第４レンズ群Ｇ４と、を有している。
【０１４７】
第１レンズ群Ｇ１は、物体側より順に、両凹負レンズＬ１と物体側に凸面を向けた正メニスカスレンズＬ２との接合レンズで構成されており、全体で負の屈折力を有している。
【０１４８】
第２レンズ群Ｇ２は、物体側より順に、両凸正レンズＬ３と、像側に凹面を向けた正メニスカスレンズＬ４と像側に凹面を向けた負メニスカスレンズＬ５との接合レンズと、で構成されており、全体で正の屈折力を有している。
【０１４９】
第３レンズ群Ｇ３は、像側に凸面を向けた正メニスカスレンズＬ６で構成されており、全体で正の屈折力を有している。
【０１５０】
第４レンズ群Ｇ４は、像側に凸面を向けた負メニスカスレンズＬ７で構成されており、全体で負の屈折力を有している。
【０１５１】
広角端から望遠端へと変倍する際には、第１レンズ群Ｇ１は、像側へ移動した後に物体側へ移動する。第２レンズ群Ｇ２は、物体側へ移動する。第３レンズ群Ｇ３は像側へ移動する。第４レンズ群Ｇ４は固定している。
【０１５２】
非球面は、第１レンズ群Ｇ１の両凹負レンズＬ１の物体側の面と、正メニスカスレンズＬ２の像側の面、第２レンズ群Ｇ２の両凸正レンズＬ３の両面、第３レンズ群Ｇ３の正メニスカスレンズＬ６の像側の面、第４レンズ群Ｇ４の負メニスカスレンズＬ７の物体側の面、の６面に設けられている。
【０１５３】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０１５４】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10  …（Ｉ）
また、Ｅは１０のべき乗を表している。なお、これら諸元値の記号は後述の実施例の数値データにおいても共通である。
【０１５５】
数値実施例１
単位  mm
面データ
面番号       r            d              nd         νd     有効半径
物面        ∞            ∞   
1*         8.5026       0.6000        1.53071       55.69    2.694
2*         2.1971       0.5000        1.63387       23.38    2.045
3*         2.5878       可変                                 2.000
4(絞り)     ∞         -0.0989                               0.852
5*         1.5161       0.5000        1.53071       55.69    0.869
6          3.2620       0.1000        1.63387       23.38    0.859
7*         1.4924       0.5282                               0.850
8*         3.1393       0.7000        1.53071       55.69    1.101
9         -6.2747       可変                                 1.202
10        -5.2682       1.0000        1.53071       55.69    1.364
11*       -2.1837       可変                                 1.537
12*       -2.5564       0.4000        1.53071       55.69    1.689
13      1590.4624       0.2000                               1.916
14          ∞          0.4000        1.51633       64.14    1.993
15          ∞          可変                                 2.092
像面        ∞     
非球面データ
第１面
K=4.0028
A2=0.0000E+00,A4=-1.1370E-02,A6=5.5851E-04,A8=-6.0457E-06,A10=0.0000E+00
第２面
K=-0.1905
A2=0.0000E+00,A4=1.3525E-02,A6=-1.1424E-02,A8=1.1420E-03,A10=0.0000E+00
第３面
K=-0.0960
A2=0.0000E+00,A4=-1.9989E-02,A6=-1.3814E-03,A8=2.5507E-04,A10=0.0000E+00
第５面
K=-2.9771
A2=0.0000E+00,A4=4.3512E-02,A6=-1.6218E-02,A8=0.0000E+00,A10=0.0000E+00
第７面
K=0.
A2=0.0000E+00,A4=-8.4636E-02,A6=1.1205E-02,A8=-1.9411E-02,A10=0.0000E+00
第８面
K=-0.2959
A2=0.0000E+00,A4=-2.4094E-02,A6=-4.7430E-04,A8=-1.8561E-03,A10=0.0000E+00
第１１面
K=-2.2427
A2=0.0000E+00,A4=-7.8393E-03,A6=5.2420E-04,A8=-4.2770E-05,A10=0.0000E+00
第１２面
K=-1.5737
ズームデータ
広角          中間          望遠
焦点距離      3.21529       5.21096       8.49737
Ｆｎｏ．      2.8000        3.5710        4.9593
２ω(°)     77.0°        46.4°        29.1°
像高          2.250         2.250         2.250
レンズ全長   12.5027       11.6539       12.2010
ＢＦ          0.31811       0.31815       0.31765
d3            4.55940       1.95683       0.50075
d9            0.69384       2.86599       5.75829
d11           2.10201       1.68368       0.79505
d15           0.31811       0.31815       0.31765
ズームレンズ群データ
群      始面        焦点距離
1        1           -8.15531  
2        4            4.48702     
3       10            6.31766   
4       12           -4.80880   
〔硝材屈折率テーブル〕・・・ 本実施例にて使用した媒質の波長別屈折率一覧
GLA                         587.56   656.27   486.13   435.83   404.66
L2,L4                      1.633870 1.626381 1.653490 1.671610 1.688826
L1,L3,L5,L6,L7             1.530710 1.527870 1.537400 1.542740 1.547272
L8                         1.516330 1.513855 1.521905 1.526214 1.529768
【０１５６】
数値実施例２
単位  mm
面データ
面番号       r            d              nd         νd     有効半径
物面        ∞            ∞   
1*        11.9285       0.6000        1.48749       70.23    2.603
2*         2.1229       0.4000        1.63387       23.38    1.949
3*         2.4985       可変                                 1.900
4(絞り)     ∞         -0.1006                               0.852
5*         1.4744       0.5000        1.53071       55.69    0.864
6          3.6242       0.1000        1.63387       23.38    0.822
7*         1.4702       0.5211                               0.800
8*         2.9167       0.7000        1.53071       55.69    0.900
9         -6.9978       可変                                 1.026
10        -5.5014       0.9000        1.53071       55.69    1.219
11*       -2.2031       可変                                 1.391
12*       -2.5245       0.4000        1.53071       55.69    1.657
13      2898.4750       0.2000                               1.907
14          ∞          0.4000        1.51633       64.14    1.996
15          ∞          可変                                 2.107
像面        ∞     
非球面データ
第１面
K=4.0067
A2=0.0000E+00,A4=-1.0996E-02,A6=7.9874E-04,A8=-9.6596E-06,A10=0.0000E+00
第２面
K=-0.2340
A2=0.0000E+00,A4=-1.0294E-03,A6=-9.1702E-03,A8=1.2784E-03,A10=0.0000E+00
第３面
K=-0.0900
A2=0.0000E+00,A4=-2.1661E-02,A6=-1.7442E-03,A8=4.6140E-04,A10=0.0000E+00
第５面
K=-2.8754
A2=0.0000E+00,A4=3.6798E-02,A6=-1.3732E-02,A8=0.0000E+00,A10=0.0000E+00
第７面
K=0.
A2=0.0000E+00,A4=-1.0439E-01,A6=1.5871E-02,A8=-2.0184E-02,A10=0.0000E+00
第８面
K=-0.3013
A2=0.0000E+00,A4=-3.0387E-02,A6=-2.0499E-03,A8=-1.4035E-03,A10=0.0000E+00
第１１面
K=-2.3743
A2=0.0000E+00,A4=-8.1979E-03,A6=7.4444E-04,A8=-6.2238E-05,A10=0.0000E+00
第１２面
K=-1.7555
ズームデータ
広角          中間          望遠
焦点距離      3.21310       5.21317       8.49616
Ｆｎｏ．      2.8000        3.6183        5.0500
２ω(°)     77.0°        46.4°        29.1°
像高          2.250         2.250         2.250
レンズ全長   11.8029       11.4187       12.2426
ＢＦ          0.31857       0.31856       0.31823
d3            4.06134       1.79429       0.49852
d9            0.69508       3.01778       6.01020
d11           2.10742       1.66759       0.79513
d15           0.31857       0.31856       0.31823
ズームレンズ群データ
群      始面        焦点距離
1        1           -7.45825      
2        4            4.37990      
3       10            6.32574      
4       12           -4.75242      
〔硝材屈折率テーブル〕・・・ 本実施例にて使用した媒質の波長別屈折率一覧
GLA                         587.56   656.27   486.13   435.83   404.66
L2,L4                      1.633870 1.626381 1.653490 1.671610 1.688826
L3,L5,L6,L7                1.530710 1.527870 1.537400 1.542740 1.547272
L8                         1.516330 1.513855 1.521905 1.526214 1.529768
L1                         1.487490 1.485344 1.492285 1.495964 1.498983
【０１５７】
数値実施例３
単位  mm
面データ
面番号       r            d              nd         νd     有効半径
物面        ∞            ∞   
1*        11.0778       0.6000        1.48749       70.23    2.484
2*         2.0762       0.4000        1.63387       23.38    1.859
3*         2.4441       可変                                 1.800
4(絞り)     ∞         -0.1007                               0.876
5*         1.4617       0.5000        1.53071       55.69    0.889
6          4.0227       0.1000        1.63387       23.38    0.852
7*         1.4488       0.4458                               0.831
8*         3.7770       0.7000        1.74320       49.34    0.900
9        -11.6433       可変                                 1.025
10        -6.3244       0.9000        1.53071       55.69    1.227
11*       -2.2852       可変                                 1.399
12*       -2.9817       0.4000        1.53071       55.69    1.695
13      4387.4018       0.2000                               1.922
14          ∞          0.4000        1.51633       64.14    2.007
15          ∞          可変                                 2.114
像面        ∞     
非球面データ
第１面
K=4.0063
A2=0.0000E+00,A4=-1.1576E-02,A6=8.3869E-04,A8=-7.0337E-06,A10=0.0000E+00
第２面
K=-0.2695
A2=0.0000E+00,A4=2.7897E-04,A6=-1.0745E-02,A8=1.6887E-03,A10=0.0000E+00
第３面
K=-0.0896
A2=0.0000E+00,A4=-2.2372E-02,A6=-2.3166E-03,A8=6.3363E-04,A10=0.0000E+00
第５面
K=-2.7639
A2=0.0000E+00,A4=3.4158E-02,A6=-1.4938E-02,A8=0.0000E+00,A10=0.0000E+00
第７面
K=0.
A2=0.0000E+00,A4=-1.0725E-01,A6=8.8637E-03,A8=-2.3989E-02,A10=0.0000E+00
第８面
K=-0.2757
A2=0.0000E+00,A4=-2.0655E-02,A6=-2.8481E-03,A8=-4.9408E-03,A10=0.0000E+00
第１１面
K=-2.4884
A2=0.0000E+00,A4=-7.9658E-03,A6=6.7559E-04,A8=-5.4115E-05,A10=0.0000E+00
第１２面
K=-1.7439
ズームデータ
広角          中間          望遠
焦点距離      3.21274       5.21545       8.49566
Ｆｎｏ．      2.6664        3.4954        4.9000
２ω(°)     77.0°        46.2°        29.1°
像高          2.250         2.250         2.250
レンズ全長   11.5026       11.4095       12.3754
ＢＦ          0.31840       0.31819       0.31743
d3            3.84488       1.74737       0.49850
d9            0.69533       3.16771       6.21872
d11           2.09893       1.63108       0.79564
d15           0.31840       0.31819       0.31743
ズームレンズ群データ
群      始面        焦点距離
1        1           -7.44648   
2        4            4.38301  
3       10            6.25840   
4       12           -5.61437  
〔硝材屈折率テーブル〕・・・ 本実施例にて使用した媒質の波長別屈折率一覧
GLA                         587.56   656.27   486.13   435.83   404.66
L2,L4                      1.633870 1.626381 1.653490 1.671610 1.688826
L3,L6,L7                   1.530710 1.527870 1.537400 1.542740 1.547272
L8                         1.516330 1.513855 1.521905 1.526214 1.529768
L1                         1.487490 1.485344 1.492285 1.495964 1.498983
L5                         1.743198 1.738653 1.753716 1.762047 1.769040
【０１５８】
数値実施例４
単位  mm
面データ
面番号       r            d              nd         νd     有効半径
物面        ∞            ∞   
1*        13.6772       0.6000        1.53071       55.69    2.715
2*         2.6296       0.5000        1.63387       23.38    2.095
3*         3.0916       可変                                 2.000
4(絞り)     ∞         -0.0962                               0.852
5*         2.4133       0.6892        1.63259       23.27    0.844
6*         1.2886       0.2054                               0.891
7*         1.8724       0.8301        1.53071       55.69    0.977
8*        -3.6942       可変                                 1.110
9         -6.5652       1.0000        1.53071       55.69    1.299
10*       -2.3968       可変                                 1.469
11*       -2.5139       0.4000        1.53071       55.69    1.673
12      1943.1013       0.2000                               1.899
13          ∞          0.4000        1.51633       64.14    1.978
14          ∞          可変                                 2.083
像面        ∞     
非球面データ
第１面
K=4.0072
A2=0.0000E+00,A4=-8.4176E-03,A6=6.0152E-04,A8=-9.5239E-06,A10=0.0000E+00
第２面
K=-0.2123
A2=0.0000E+00,A4=5.9345E-03,A6=-6.9656E-03,A8=8.9529E-04,A10=0.0000E+00
第３面
K=-0.0963
A2=0.0000E+00,A4=-1.5661E-02,A6=-6.1079E-04,A8=2.5551E-04,A10=0.0000E+00
第５面
K=-3.0798
A2=0.0000E+00,A4=-5.8494E-02,A6=-1.3279E-03,A8=0.0000E+00,A10=0.0000E+00
第６面
K=0.
A2=0.0000E+00,A4=-2.0496E-01,A6=-4.6932E-03,A8=-3.5456E-02,A10=0.0000E+00
第７面
K=-0.3207
A2=0.0000E+00,A4=-5.2269E-02,A6=1.9460E-02,A8=-4.1231E-02,A10=0.0000E+00
第８面
K=-0.0871
A2=0.0000E+00,A4=7.0844E-03,A6=3.6181E-02,A8=-2.3660E-02,A10=0.0000E+00
第１０面
K=-2.4635*
A2=0.0000E+00,A4=-4.7892E-03,A6=1.7045E-04,A8=-9.9897E-06,A10=0.0000E+00
第１１面
K=-1.8390
ズームデータ
広角          中間          望遠
焦点距離      3.20817       5.20791       8.49756
Ｆｎｏ．      2.8000        3.5710        4.9593
２ω(°)     77.2°        46.6°        29.1°
像高          2.250         2.250         2.250
レンズ全長   12.5013       12.1303       12.7263
ＢＦ          0.31908       0.31892       0.31949
d3            4.40441       1.99042       0.49719
d8            0.70238       3.32890       6.38409
d10           2.34699       1.76365       0.79712
d14           0.31908       0.31892       0.31949
ズームレンズ群データ
群      始面        焦点距離
1        1           -8.36013   
2        4            4.67639  
3        9            6.56688    
4       11           -4.73050 
〔硝材屈折率テーブル〕・・・ 本実施例にて使用した媒質の波長別屈折率一覧
GLA                         587.56   656.27   486.13   435.83   404.66
L2                         1.633870 1.626381 1.653490 1.671610 1.688826
L1,L4,L5,L6                1.530710 1.527870 1.537400 1.542740 1.547272
L3                         1.632590 1.624940 1.652120 1.669410 1.685501
L7                         1.516330 1.513855 1.521905 1.526214 1.529768
【０１５９】
数値実施例５
単位  mm
面データ
面番号       r            d              nd         νd     有効半径
物面        ∞            ∞   
1*        -8.7248       0.5100        1.58313       59.38    3.555
2         11.5405       0.7000        2.10223       16.77    3.221
3*        19.0000       可変                                 3.100
4(絞り)     ∞         -0.2000                               1.490
5*         5.5575       1.2500        1.76802       49.24    1.591
6*        -8.8354       0.2000                               1.565
7          6.8330       0.9000        1.88300       40.76    1.559
8        100.0000       0.4000        1.84666       23.78    1.489
9          2.8989       可変                                 1.300
10      -116.1817       1.7000        1.81474       37.03    2.800
11*       -7.2698       可変                                 3.033
12*       -8.5000       0.5000        1.52542       55.78    3.000
13       -25.0000       0.2000                               3.000
14          ∞          0.4000        1.51633       64.14    2.796
15          ∞          可変                                 2.820
像面        ∞     
非球面データ
第１面
K=-2.7964
A2=0.0000E+00,A4=4.9527E-04,A6=-1.2914E-05,A8=2.0317E-07,A10=0.0000E+00
第３面
K=-2.1642
A2=0.0000E+00,A4=3.5782E-04,A6=3.4794E-06,A8=-3.6399E-08,A10=0.0000E+00
第５面
K=-0.1501
A2=0.0000E+00,A4=-5.4199E-03,A6=-1.9877E-04,A8=-2.6909E-04,A10=0.0000E+00
第６面
K=0.3537
A2=0.0000E+00,A4=-3.7764E-03,A6=-3.1581E-04,A8=-1.7462E-040.0000E+00
第１１面
K=3.0398
A2=0.0000E+00,A4=2.8242E-03,A6=-2.6491E-04,A8=2.1346E-05,A10=0.0000E+00
第１２面
K=0.
A2=0.0000E+00,A4=7.5456E-03,A6=-1.7255E-03,A8=8.6189E-05,A10=0.0000E+00
ズームデータ
広角          中間          望遠
焦点距離      5.01624       8.40472       14.09420
Ｆｎｏ．      2.8438        3.7587         5.1698
２ω(°)     65.0°        36.4°         21.8°
像高          2.800         2.800          2.800
レンズ全長   19.9454       18.3063        19.6102
ＢＦ          0.38444       0.38807        0.39522
d3            8.22258       3.78587        0.80000
d9            2.60434       5.76071       10.16598
d11           2.17407       1.81161        1.68900
d13           0.20000       0.20000        0.20000
d15           0.38444       0.38807        0.39522
ズームレンズ群データ
群      始面        焦点距離
1        1          -12.41453     
2        4            6.99570     
3       10            9.45225     
4       12          -24.76996    
〔硝材屈折率テーブル〕・・・ 本実施例にて使用した媒質の波長別屈折率一覧
GLA                         587.56   656.27   486.13   435.84   404.66
L2                         2.102230 2.084080 2.149790 2.193956 2.236910
L6                         1.814740 1.808250 1.830250 1.843045 1.854169
L3                         1.768020 1.763310 1.778910 1.787509 1.794710
L1                         1.583126 1.580139 1.589960 1.595296 1.599721
L8                         1.516330 1.513855 1.521905 1.526213 1.529768
L4                         1.882997 1.876560 1.898221 1.910495 1.920919
L5                         1.846660 1.836488 1.872096 1.894186 1.914294
L7                         1.525420 1.522680 1.532100 1.537050 1.540699
【０１６０】
数値実施例６
単位  mm
面データ
面番号       r            d              nd         νd     有効半径
物面        ∞            ∞   
1*        -9.3178       0.5100        1.48749       70.23    3.720
2          8.3000       0.4693        1.63494       23.22    3.254
3*        14.2906       可変                                 3.200U
4(絞り)     ∞         -0.2000                               1.520U
5*         4.1436       1.2500        1.76802       49.24    1.591U
6*       -33.5907       0.2000                               1.565U
7          6.4435       0.9000        1.88300       40.76    1.559U
8         55.9101       0.4000        1.84666       23.78    1.489U
9          2.9099       可変                                 1.300U
10       -86.6892       1.7000        1.80610       40.92    3.000U
11*       -6.8390       可変                                 3.033U
12*      -10.0000       0.5000        1.52542       55.78    2.800U
13       -26.0000       0.2000                               3.000U
14          ∞          0.4000        1.51633       64.14    3.000U
15          ∞          可変                                 3.000U
像面        ∞     
非球面データ
第１面
K=-1.0096
A2=0.0000E+00,A4=0.0000E+00,A6=4.3950E-05,A8=-9.9585E-07,A10=0.0000E+00
第３面
K=-1.8372
A2=0.0000E+00,A4=-1.5697E-04,A6=5.5163E-05,A8=6.1396E-08,A10=0.0000E+00
第５面
K=-2.3593
A2=0.0000E+00,A4=3.7665E-03,A6=1.8088E-04,A8=6.4600E-05,A10=0.0000E+00
第６面
K=-15.7369
A2=0.0000E+00,A4=2.2973E-03,A6=3.5664E-04,A8=8.2212E-05,A10=0.0000E+00
第１１面
K=0.
A2=0.0000E+00,A4=5.9653E-04,A6=-1.1878E-05,A8=0.0000E+00,A10=0.0000E+00
第１２面
K=0.
A2=0.0000E+00,A4=-1.7882E-03,A6=3.1137E-05,A8=0.0000E+00,A10=0.0000E+00
ズームデータ
広角          中間          望遠
焦点距離      4.99998       8.78989       14.33392
Ｆｎｏ．      2.8179        3.8485         5.1499
２ω(°)     65.2°        34.8°         21.4°
像高          2.800         2.800          2.800
レンズ全長   20.0042       18.3461        19.8114
ＢＦ          0.38121       0.37995        0.37987
d3            8.59361       3.79827        0.80000
d9            2.60000       6.10474       10.32345
d11           2.10000       1.73380        1.97877
d13           0.20000       0.20000        0.20000
d15           0.38121       0.37995        0.37987
ズームレンズ群データ
群      始面        焦点距離
1        1          -12.51583     
2        4            7.05598    
3       10            9.12400    
4       12          -31.26416  
〔硝材屈折率テーブル〕・・・ 本実施例にて使用した媒質の波長別屈折率一覧
GLA                         587.56   656.27   486.13   435.84   404.66
L3                         1.768020 1.763310 1.778910 1.787509 1.794710
L2                         1.634940 1.627290 1.654640 1.672908 1.689875
L8                         1.516330 1.513855 1.521905 1.526213 1.529768
L1                         1.487490 1.485344 1.492285 1.495963 1.498983
L6                         1.806098 1.800248 1.819945 1.831173 1.840781
L4                         1.882997 1.876560 1.898221 1.910495 1.920919
L5                         1.846660 1.836488 1.872096 1.894186 1.914294
L7                         1.525420 1.522680 1.532100 1.537050 1.540699
【０１６１】
次に、各実施例における条件式の値を掲げる。
実施例１   実施例２   実施例３   実施例４   実施例５   実施例６
ｆw(広角端)     3.215      3.213      3.213      3.208      5.016      5.000
ｆs(中間)       5.211      5.213      5.215      5.208      8.405      8.790
ｆt(望遠端)     8.497      8.496      8.496      8.498     14.094     14.334
半画角(広角端)・DT込み 
38.5°     38.5°     38.5°     38.5°     32.5°     32.6°
半画角(中間)・DT込み  
23.2°     23.2°     23.1°     23.3°     18.2°     17.4°
半画角(望遠端)・DT込み  
14.6°     14.6°     14.6°     14.6°     10.9°     10.7°
γ(=ｆt/fw)     2.643      2.644      2.644      2.649      2.810      2.867
ｙ10            2.25       2.25       2.25       2.25       2.80       2.80
ｆ4(=１/φ4)   -4.809     -4.752     -5.614     -4.731    -24.770    -31.264
ｆw/ｆ4        -0.6686    -0.6761    -0.5722    -0.6782    -0.2025    -0.1599
β4w            1.217      1.220      1.186      1.221      1.055      1.044
ｄ4iw/(Ｄw＋Ｄt) 
0.03165    0.03253    0.03277    0.03103    0.02144    0.02122
ｎ4             1.53071    1.53071    1.53071    1.53071    1.52542    1.52542
ν4            55.69      55.69      55.69      55.69      55.78      55.78
a=(ｙ10)2・log10γ/ｆw   
0.6647     0.6653     0.6653     0.6677     0.7013     0.7172
hA=3.0a         1.9939     1.9960     1.9960     2.0029     2.1039     2.1517
hB=2.5a         1.6616     1.6633     1.6633     1.6691     1.7532     1.7931
hC=2.5a         1.6616     1.6633     1.6633     1.6691     1.7532     1.7931
zB(hB)          0.42874    0.44901    0.45979    0.36556    0.08417    0.11234
zC(hC)          0.65419    0.62708    0.64432    0.52950    0.13395    0.19600
|zC(hC)-zB(hB)|/ｔp  
0.45090    0.44518    0.46133    0.32788    0.07111    0.17827
ΔzC(hC)       -0.10541   -0.17670   -0.18928   -0.06813    0          0
ΔzA(hA)       -0.13067   -0.12134   -0.12599   -0.09573    0.01876    0.00734
ΔzB(hB)       -0.17518   -0.18509   -0.19348   -0.12371    0.00311   -0.00060
(ΔzA(hA)+ΔzB(hB))/2   
-0.15293   -0.15322   -0.15974   -0.10972    0.01094    0.00337
[ΔzC (hC)-{ΔzA (hA)+ΔzB(hB)}/2]/ｆw  
0.04752   -0.02348   -0.02954    0.04159   -0.00218   -0.00067
(ｒ11+ｒ13)/(ｒ11-ｒ13)  
1.8750     1.5299     1.5662     1.5841    -0.3706    -0.2106
θgFp           0.6684     0.6684     0.6684     0.6684     0.6721     0.6679
θgFn           0.5603     0.5302     0.5302     0.5603     0.5438     0.5302
θhgp           0.6351     0.6351     0.6351     0.6351     0.6537     0.6203
θhgn           0.4756     0.4351     0.4351     0.4756     0.4501     0.4351
νdp-νdn     -32.31     -46.85     -46.85     -32.31     -42.61     -47.01
(θgFp-θgFn)/(νdp-νdn) 
-3.346e-3  -2.950e-3  -2.950e-3  -3.346e-3  -3.011e-3  -2.929e-3
(θhgp-θhgn)/(νdp-νdn)  
-4.936e-3  -4.269e-3  -4.269e-3  -4.936e-3  -4.7782e-3 -3.940e-3
β234w         -0.3943    -0.4308    -0.4314    -0.3837    -0.4041    -0.3995
ｆ2             4.4863     4.3802     4.3821     4.6773     6.9957     7.0560
ｆ2/ｆw         1.3955     1.3631     1.3643     1.4577     1.3947     1.4112
Ｄw+Ｄt        24.7037    24.0455    23.8780    25.2276    39.5556    39.8156
Ｄw-Ｄt         0.3017    -0.4397    -0.8728    -0.2250     0.3352     0.1928
(Ｄw-Ｄt)/(Ｄw+Ｄt)  
0.01221   -0.01829   -0.03655   -0.00892    0.00847    0.00484
ｒ23/ｒ21       0.9844     0.9972     0.9912     0.7759     ―――     ―――
(ｒ21+ｒ23)/ｒ22 
0.9223     0.8125     0.7235     ―――     ―――     ―――
(ｒ24+ｒ25)/(ｒ24-ｒ25)  
-0.3331    -0.4116    -0.5101    -0.3273     ―――     ―――
ｒ'25/ｒ'23     ―――     ―――     ―――      ―――    0.4242     0.4516
(ｒ'23+ｒ'25)/ｒ'24 
―――     ―――     ―――      ―――    0.0973     0.1673
β34t/β34w     1.3463     1.3527     1.3631     1.4178     1.0767     1.0204
ｆw/ｆ34w       0.01882    0.01876    0.10489    0.01695    0.36976    0.41986
ｆ4/ｆ3        -0.7612    -0.7513    -0.8971    -0.7204    -2.6205    -3.4266
ｒ31/ｒ25       0.8396     0.7862     0.5432     1.7772     ―――     ―――
ｒ32/ｒ41       0.8542     0.8727     0.7664     0.9534     ―――     ―――
【０１６２】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。なお、ここで図示されている光学系は、一般的に用いられている光学系の例である。上記の実施例の結像光学系と置き換えることで、本発明の結像光学系を備えた撮影装置を実現できる。
【０１６３】
図１３〜図１５に本発明による結像光学系をデジタルカメラの撮影光学系４１に組み込んだ構成の概念図を示す。図１３はデジタルカメラ４０の外観を示す前方斜視図、図１４は同後方斜視図、図１５はデジタルカメラ４０の光学構成を示す断面図である。
【０１６４】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０１６５】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１６６】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０１６７】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０１６８】
次に、本発明の結像光学系が対物光学系として内蔵された情報処理装置の一例であるパソコンを図１６〜図１８に示す。図１６はパソコン３００のカバーを開いた状態の前方斜視図、図１７はパソコン３００の撮影光学系３０３の断面図、図１８は図１６の側面図である。図１６〜図１８に示されるように、パソコン３００は、キーボード３０１と、情報処理手段や記録手段と、モニター３０２と、撮影光学系３０３とを有している。
【０１６９】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１７０】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０１７１】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図１６には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１７２】
次に、本発明の結像光学系が撮影光学系として内蔵された情報処理装置の一例である電話、特に持ち運びに便利な携帯電話を図１９に示す。図１９（a）は携帯電話４００の正面図、図１９（b）は側面図、図１９（c）は撮影光学系４０５の断面図である。図１９（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１７３】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１７４】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０１７５】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１７６】
なお、本発明は、その趣旨を逸脱しない範囲で様々な変形例をとることができる。
【図面の簡単な説明】
【０１７７】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明によるズーム光学系を組み込んだデジタルカメラ４０の外観を示す前方斜視図である。
【図１４】デジタルカメラ４０の後方斜視図である。
【図１５】デジタルカメラ４０の光学構成を示す断面図である。
【図１６】本発明のズーム光学系が対物光学系として内蔵された情報処理装置の一例であるパソコン３００のカバーを開いた状態の前方斜視図である。
【図１７】パソコン３００の撮影光学系３０３の断面図である。
【図１８】パソコン３００の側面図である。
【図１９】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【符号の説明】
【０１７８】
Ｇ１          第１レンズ群
Ｇ２          第２レンズ群
Ｇ３          第３レンズ群
Ｇ４          第４レンズ群
Ｌ１〜Ｌ７        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2010139870.tif 000003
【図２】
2010139870.tif 000004
【図３】
2010139870.tif 000005
【図４】
2010139870.tif 000006
【図５】
2010139870.tif 000007
【図６】
2010139870.tif 000008
【図７】
2010139870.tif 000009
【図８】
2010139870.tif 000010
【図９】
2010139870.tif 000011
【図１０】
2010139870.tif 000012
【図１１】
2010139870.tif 000013
【図１２】
2010139870.tif 000014
【図１３】
2010139870.tif 000015
【図１４】
2010139870.tif 000016
【図１５】
2010139870.tif 000017
【図１６】
2010139870.tif 000018
【図１７】
2010139870.tif 000019
【図１８】
2010139870.tif 000020
【図１９】
2010139870.tif 000021